(57)【要約】【課題】吸込口が塞がれても、構造が複雑化することなく騒音を低減することができる掃除機用アタッッチメントを提供することを課題とする。【解決手段】  吸込口１４が形成された扁平状のノズル部１５と、該ノズル部１５から連なり、掃除機本体に連通接続される略円形の連結部１６と、前記吸込口１４とは別に形成された空気導入口１７とを備えた掃除機用アタッチメントであって、前記空気導入口１７を、前記ノズル部１５と前記連結部１６とに跨るように形成した【選択図】  図２
2007283014.tif 000002
【特許請求の範囲】
【請求項１】
吸込口が形成されたノズル部と、該ノズル部から連なり、掃除機本体に連通接続される連結部と、前記吸込口とは別に形成された空気導入口とを備えた掃除機用アタッチメントであって、
前記空気導入口を、前記ノズル部と前記連結部とに跨るように形成したことを特徴とする隙間用アタッチメント。
【請求項２】
前記連結部に架かる前記空気導入口の開口面積を、前記ノズル部に架かる前記空気導入口の開口面積よりも大きくしたことを特徴とする請求項１記載の隙間用アタッチメント。
【請求項３】
請求項１または請求項２に記載された隙間用アタッチメントを用いた電気掃除機。
【発明の詳細な説明】
【技術分野】
【０００１】
本発明は、掃除機に用いられる隙間用アタッチメントに関するものである。
【背景技術】
【０００２】
従来の隙間用アタッチメントは、使用時に吸込口が塞がれた際、真空度の上昇を抑制するために、吸込口とは別の空気導入口が吸込部に形成されている。（特許文献１）
ところが、家具間の隙間等を掃除するためノズル部は幅が狭く形成されているため、空気導入口の開口面積が小さくなっている。よって、空気導入口から吸い込まれる空気の流速が早くなり、空気が吸込具の内壁に衝突するときの衝突音が大きくなるという問題があった。
【０００３】
上記の問題を解決するために、最近では、隙間用アタッチメント内部に整流板を設けて、衝突音を少なくしたり、或いは掃除機本体側に連通接続される連結部を２重壁とし、この外壁の一部に空気を導入する開口部を設け、開口部から導入する空気を内壁によって清流し、騒音を低減できるようま構成が提案されている。（特許文献２）
しかしながら、上記の提案構成では、隙間用アタッチメントの構造が複雑化しているため、金型構成も複雑化するという欠点があった。
【特許文献１】実開平２−１１６２５０号公報（Ａ４７Ｌ  ９／０２）
【特許文献２】特開平１１−２２１１７７号公報（Ａ４７Ｌ  ９／０２）
【発明の開示】
【発明が解決しようとする課題】
【０００４】
本発明は上記欠点に鑑みなされたもので、吸込口が塞がれても、構造が複雑化することなく騒音を低減することができる隙間用アタッッチメントを提供することを課題とする。
【課題を解決するための手段】
【０００５】
上記課題を解決するための手段は、吸込口が形成されたノズル部と、該ノズル部から連なり、掃除機本体に連通接続される連結部と、前記吸込口とは別に形成された空気導入口とを備えた隙間用アタッチメントであって、前記空気導入口を、前記ノズル部と前記連結部とに跨るように形成したことを特徴とする。
【０００６】
また、前記連結部に掛かる前記空気導入口の開口面積を、前記ノズル部に掛かる前記空気導入口の開口面積よりも大きくしたことを特徴とする。
【発明の効果】
【０００７】
本発明の請求項１によれば、前記空気導入口を、前記ノズル部と前記連結部とに跨るように形成したので、前記空気導入口の開口面積が大きくなり、吸い込まれる空気の流速を遅くして、騒音を小さくすることができる。また、前記空気導入口からの空気は、傾斜しながら導入されるため、前記ノズル部及び前記連結部の壁面への衝突は、前記空気導入口から離れた位置で衝突するので、前記空気導入口からの衝突音を漏れにくくすることができる等の効果を奏する。
【０００８】
本発明の請求項２によれば、前記連結部に掛かる前記空気導入口からの空気を多く導入することで、空気を前記ノズル部及び前記連結部の壁面とに沿うように導入することができ、衝突する空気量を減少し、騒音をより小さくすることができる等の効果を奏する。
【０００９】
本発明の請求項３によれば、騒音をより小さくすることができる電機掃除機提供することができる等の効果を奏する。
【発明を実施するための最良の形態】
【００１０】
本発明の実施形態を図１乃至図６に基づいて以下に説明する。
【００１１】
図１は、本願発明の実施形態を示す電気掃除機の起立収納（スタンド収納）状態を示す外観図である。図２は、同隙間用アタッチメントの斜視図である。図３は、同隙間用アタッチメントの側面図である。図４は、同隙間用アタッチメントの正面図である。図５は、同隙間用アタッチメントを延長パイプに接続して掃除する状態を示す図である。図６は、同隙間用アタッチメントの吸込口が塞がれた場合の空気の流れを示す図である。
【００１２】
１は、電動送風機及び集塵室を有する掃除機本体で、前方に可撓性ホース２の一端が接続される本体吸込口３が形成され、該掃除機本体１の底面に、後述する延長パイプ６の係止部材１２が係合する係合部４を形成している。
【００１３】
５は、前記掃除機本体１の後方の両側に設けられた車輪で、該車輪５を被掃除面上で回転させることにより、簡単に前記掃除機本体１を移動できるようになっている。
【００１４】
６は、後述するホースグリップ部７の接続管９に着脱自在に接続される延長パイプで、該延長パイプ６は、伸縮自在にできる構成となっている。
【００１５】
７は、前記可撓性ホース２の他端に接続されるホースグリップ部で、該ホースグリップ部７は、前記延長パイプ６または後述する隙間用アタッチメント１３のいずれかが接続される把手部８有する接続管９と、該接続管９に回動自在に取り付けられるホース接続管１０とから形成されている。
【００１６】
１１は、前記延長パイプ６の端部に接続される床用吸込具である。
【００１７】
１２は、前記延長パイプ６の下面（前記把手部８とは反対の位置）に取り付けられた係止部材で、図１に示すように前記掃除機本体１に前記可撓性ホース２、前記延長パイプ６、及び前記床用吸込具１１を接続した状態で、前記掃除機本体１を起立収納（スタンド収納）した際に、前記係止部材１２を前記係合部４に係止するようになっている。
【００１８】
１３は、先端に吸込口１４が形成された扁平状のノズル部１５と、該ノズル部１５から連なり、前記接続管９もしくは前記延長パイプ６に接続される略円形の連結部１６とからなる隙間用アッチメントである。該隙間用アタッチメント１３は、家具間の隙間等を掃除するために、前記ノズル部１５が前記連結部１６よりも細くなった扁平状に形成されている。また、前記連結部１６は、前記延長パイプ６または前記ホースグリップ部７の接続管９の内周に接続できるよう略円形状に形成されている。
【００１９】
１７は、前記連結部１６側に形成された第１空気導入口１８と、前記ノズル部１５側に形成された第２空気導入口１９とからなる空気導入口で、該空気導入口１７は、図２に示すように前記ノズル部１５と前記連結部１６とに跨って形成されている。前記空気導入口１７を設けることにより、前記吸込口１４が塞がれた場合でも、前記空気導入口１７から空気が導入されるため、電動送風機の温度上昇が抑制されるようになっている。
【００２０】
ところで、従来の空気導入口は、前記ノズル部１５の下面に設けられていたが、前記ノズル部１５が扁平状に形成されているため、空気導入口の開口面積が小さくなっていた。そして、前記吸込口１４が塞がれた場合、空気導入口から吸い込まれる空気の流速が早くなり、空気がアタッチッメントの内壁に衝突するときの衝突音が大きくなる欠点があった。
【００２１】
しかしながら、本実施例では、前記第１空気導入口１８及び前記第２空気導入口１９からなる前記空気導入口１７を、前記ノズル部１５と前記連結部１６とに跨るように形成しているので、前記空気導入口１７の開口面積が大きくなり、吸い込まれる空気の流速を遅くして、騒音を小さくすることができるとともに、前記隙間用アタッチメント１３の金型強度も保つことができるようになっている。また、図６に示すように、前記空気導入口１７からの空気は、傾斜しながら導入されるため、前記ノズル部１５及び前記連結部１６の壁面への衝突は、前記空気導入口１７から離れた位置で衝突するので、前記空気導入口１７からの衝突音を漏れにくくすることができるようになっている。
【００２２】
更に、前記第１空気導入口１８の開口面積を、前記第２空気導入口１９の開口面積よりも大きくしているので、前記第１空気導入口１８からの空気を多く導入することで、空気をより前記ノズル部１５及び前記連結部１６の壁面とに沿わせるように導入することができるので、壁面に衝突する空気量が減少し、騒音をより小さくすることができるようになっている。
【００２３】
２０は、前記延長パイプ６の下面（前記把手部８とは反対の位置）に取り付けられた前記隙間用アタッチメント１３を収納する収納部で、前記連結部１６を前記収納部２０に差し込んで収納できるようになっている。
【００２４】
２１は、前記延長パイプ６を前記接続管９から取り外すための第１クランプである。
【００２５】
２２は、前記床用吸込具１１を前記延長パイプ６から取り外すための第２クランプである。
【００２６】
上記構成における電気掃除機の動作について説明する。
【００２７】
前記把持部８に設けられたスイッチ（図示しない）を操作すると、電動送風機が駆動し、前記床用吸込具１１の吸込口から空気と共に塵埃が吸引される。吸引された塵埃は、前記掃除機本体１内の集塵室に集塵され、空気は前記掃除機本体１の排気口から排気される。
【００２８】
前記隙間用アタッチメント１３を用いて掃除する場合は、前記第１クランプ２１もしくは前記第２クランプ２２を操作し、前記床用吸込具１１もしくは前記延長パイプ６を取り外す。そして、前記隙間用アタッチメント１３を前記接続管９もしくは前記延長パイプ６に装着し、電動送風機を駆動させる。図５に示すように、塵埃は前記吸込口１４から吸引され、吸引された塵埃は、前記掃除機本体１内の集塵室に集塵される。
【００２９】
前記隙間用アタッチメント１３での掃除中において、図６に示すように、前記吸込口１４が壁面等で塞がれた場合は、前記空気導入口１７から空気が導入されるので、電動送風機の温度上昇が抑制される。
【００３０】
そして、前記空気導入口１７が前記ノズル部１５と前記連結部１６とに跨るように形成されているため、前記空気導入口１７の開口面積が大きくなり、吸い込まれる空気の流速は遅くなる。従って、前記吸込口１４が塞がれた状態でも、簡単な構成にて空気流の騒音を小さくすることができ、使用者への不快感を低減できる。また、前記空気導入口１７からの空気は、傾斜しながら導入されるため、前記ノズル部１５及び前記連結部１６の壁面への衝突は、前記空気導入口１７から離れた位置で衝突するので、前記空気導入口１７からの衝突音を漏れにくくすることができる。
【００３１】
更に、前記第１空気導入口１８の開口面積を、前記第２空気導入口１９の開口面積よりも大きくしているので、前記第１空気導入口１８からの空気を多く導入することで、空気をより前記ノズル部１４及び前記連結部１６の壁面とに沿わせるように導入することができるので、壁面に衝突する空気量が減少し、騒音をより小さくすることができる。
【図面の簡単な説明】
【００３２】
【図１】図１は、本願発明の実施形態を示す電気掃除機の起立収納（スタンド収納）状態を示す外観図である。
【図２】図２は、同隙間用アタッチメントの斜視図である。
【図３】図３は、同隙間用アタッチメントの側面図である。
【図４】図４は、同隙間用アタッチメントの正面図である。
【図５】図５は、同隙間用アタッチメントを延長パイプに接続して掃除する状態を示す図である。
【図６】図６は、同隙間用アタッチメントの吸込口が塞がれた場合の空気の流れを示す図である。
【符号の説明】
【００３３】
１４        吸込口
１５        ノズル部
１６        連結部
１３        隙間用アタッチメント
１７        空気導入口
１８        第１空気導入口
１９        第２空気導入口
【図１】
2007283014.tif 000003
【図２】
2007283014.tif 000004
【図３】
2007283014.tif 000005
【図４】
2007283014.tif 000006
【図５】
2007283014.tif 000007
【図６】
2007283014.tif 000008